(57)【要約】【課題】タービンエンジンに腐食防止流体を分散させる。【解決手段】タービンエンジンに腐食防止流体を分散させるための方法およびシステムは、タービンエンジンがオンラインまたはオフラインである間に行われうる。ある実施形態では、方法は、タービンエンジン用の腐食防止流体を選択すること、および、腐食防止流体を、タービンエンジンに流体的に接続された空気ダクトに入るよう分配することを含みうる。【選択図】図１
2015113837.tif 000002
【特許請求の範囲】
【請求項１】
金属用の腐食防止流体を含む腐食防止流体の供給源であって、空気ダクトに流体連通する、供給源と、
前記空気ダクトに流体連通するタービンエンジンとを備え、前記腐食防止流体は前記空気ダクトを介して前記タービンエンジンに分配されるシステム。
【請求項２】
前記腐食防止流体はポリアミンベース流体を含む請求項１記載のシステム。
【請求項３】
前記空気ダクトに流体的に接続された蒸発冷却器をさらに備え、前記蒸発冷却器は前記腐食防止流体を蒸気に変換する請求項１記載のシステム。
【請求項４】
前記空気ダクトに流体的に接続された霧化器システムをさらに備え、前記霧化器システムは前記腐食防止流体をエーロゾルに変換する請求項１記載のシステム。
【請求項５】
前記腐食防止流体は、気体、液体、またはエーロゾルの形態である請求項１記載のシステム。
【請求項６】
前記腐食防止流体の前記供給源に流体的に接続された弁と、
前記弁に通信可能に接続された制御システムとをさらに備え、前記制御システムは、ボアスコープまたは汚れセンサの少なくとも一方から受信される前記タービンエンジンの状態に基づいて前記弁を調整する請求項１記載のシステム。
【請求項７】
前記腐食防止流体は、前記タービンエンジンがオフラインであるときに適用される請求項１記載のシステム。
【請求項８】
前記腐食防止流体の前記供給源に流体連通する混合チャンバをさらに備える請求項１記載のシステム。
【請求項９】
前記混合チャンバに流体連通する水の供給源をさらに備え、前記混合チャンバは、腐食防止剤を前記水と混合して、前記腐食防止流体を作り、前記腐食防止剤は、前記タービンエンジンの状態に基づいて選択される請求項８記載のシステム。
【請求項１０】
前記タービンエンジンの前記状態は、前記タービンエンジンのパワー出力レベル、前記腐食防止流体を適用するまでの経過時間、前記タービンエンジンの経過運転時間、前記タービンエンジンの温度、または、運転中の前記タービンエンジンの近くの大気状態の少なくとも１つを含む請求項９記載のシステム。
【請求項１１】
前記腐食防止流体は、以下、すなわち、シクロヘキシルアミン、モルホリン、モノエタールアミン、Ｎ−９−オクタデセニル−１、３−プロパンジアミン、９−オクタデセン−１−アミン、（Ｚ）−１−５、ジメチルアミンプロピルアミン（ＤＭＰＡ）、ジエチルアミノエタノール（ＤＥＡＥ）、またはポリアミンの少なくとも２つを混合することによって生成された請求項１記載のシステム。
【請求項１２】
タービンエンジン用の腐食防止流体を選択すること、および、
前記腐食防止流体を、前記タービンエンジンに流体的に接続された空気ダクトに入るよう分配することを含む方法。
【請求項１３】
前記腐食防止流体はポリアミンベース流体を含む請求項１２記載の方法。
【請求項１４】
蒸発冷却器を使用して前記腐食防止流体を気化させることをさらに含む請求項１２記載の方法。
【請求項１５】
霧化器を使用して前記腐食防止流体をエーロゾル化することをさらに含む請求項１２記載の方法。
【請求項１６】
前記腐食防止流体は、以下、すなわち、シクロヘキシルアミン、モルホリン、モノエタールアミン、Ｎ−９−オクタデセニル−１、３−プロパンジアミン、９−オクタデセン−１−アミン、（Ｚ）−１−５、ジメチルアミンプロピルアミン（ＤＭＰＡ）、ジエチルアミノエタノール（ＤＥＡＥ）、またはポリアミンの少なくとも２つを混合することによって生成された請求項１２記載の方法。
【請求項１７】
前記タービンエンジンの状態に基づく設定比で腐食防止剤を水と混合することによって前記腐食防止流体を生成することをさらに含む請求項１２記載の方法。
【請求項１８】
前記タービンエンジンの前記状態は、前記タービンエンジンのパワー出力レベル、前記腐食防止流体を適用するまでの経過時間、前記タービンエンジンの経過運転時間、前記タービンエンジンの温度、または、運転中の前記タービンエンジンの近くの大気状態の少なくとも１つを含む請求項１７記載の方法。
【請求項１９】
コンピュータ可読命令を実行するように適合されるプロセッサと、
前記プロセッサに通信可能に結合されたメモリとを備え、前記メモリは、前記メモリに記憶されたコンピュータ可読命令を有し、前記コンピュータ可読命令は、前記プロセッサによって実行される場合、前記プロセッサに、
タービンエンジン用の腐食防止流体を選択する命令を提供すること、および、
前記腐食防止流体を、前記タービンエンジンに流体的に接続された空気ダクトに入るよう分配する命令を提供すること
を含む、動作を実施させるシステム。
【請求項２０】
前記腐食防止流体は、蒸発冷却器または霧化器の少なくとも一方を使用して分配される請求項１９記載のシステム。
【発明の詳細な説明】
【技術分野】
【０００１】
本発明は、ガスタービン腐食防止保護に関する。
【背景技術】
【０００２】
ガスタービンエンジンの圧縮機は、埃摂取、および、入口をバイパスし、いろいろな程度の衝撃による損傷（たとえば、腐食、先端エロージョン／摩擦、後縁薄化、およびステータ根本エロージョン）をもたらす除去済み異物の偶然の侵入にさらされうる。ガスタービンエンジンはまた、燃焼プロセスの副産物である種々の残留物の堆積物の蓄積に所定期間にわたってさらされるタービンのブレードおよび他の構造を有する。衝撃による損傷および堆積物の蓄積は、タービン効率の喪失およびガスタービンエンジンコンポーネントの考えられる劣化をもたらす。
【発明の概要】
【課題を解決するための手段】
【０００３】
本明細書では、タービンエンジン腐食保護を施す(dispense)ための方法およびシステムが開示される。ある実施形態では、システムは、空気ダクトに流体連通する、金属用の腐食防止流体の供給源と、空気ダクトに流体連通するタービンエンジンとを含み、腐食防止流体は空気ダクトを介してタービンエンジンに分配される。
【０００４】
ある実施形態では、方法は、タービンエンジン用の腐食防止流体を選択すること、および、腐食防止流体を、タービンエンジンに流体的に接続された空気ダクトに入るよう分配することを含む。
【０００５】
ある実施形態では、システムは、コンピュータ可読命令を実行するように適合されるプロセッサと、プロセッサに通信可能に結合されたメモリとを含みうる。メモリは、メモリに記憶されたコンピュータ可読命令を有することができ、コンピュータ可読命令は、プロセッサによって実行される場合、プロセッサに、タービンエンジン用の腐食防止流体を選択する命令を提供すること、および、腐食防止流体を、タービンエンジンに流体的に接続された空気ダクトに入るよう分配する命令を提供することを含む、動作を実施させる。
【０００６】
本発明のこの簡潔な説明は、詳細な説明において以下でさらに述べられる概念の選択物を簡略化された形態で導入するために提供される。本発明のこの簡潔な説明は、特許請求される主題の重要な特徴または本質的な特徴を特定することを意図されないし、特許請求される主題の範囲を制限することも意図されない。さらに、特許請求される主題は、本開示の任意の部分で述べた任意のまたは全ての欠点を解決する制限事項に限定されない。
【０００７】
より詳細な理解が、添付図面に関連して例として与えられる以下の説明から得られうる。
【図面の簡単な説明】
【０００８】
【図１】タービンおよび圧縮機の配管を含むガスタービンエンジンの断面図である。
【図２】パワープラントシステムの例示的な図である。
【図３】ガスタービンに腐食防止処理を適用する非制限的な方法を示す図である。
【図４】ガスタービンに腐食防止処理を適用する非制限的な方法を示す図である。
【図５】本明細書で開示される方法およびシステムまたはその所定の部分の態様が組込まれうる汎用コンピュータシステムを示す例示的なブロック図である。
【発明を実施するための形態】
【０００９】
本明細書には、ポリアミンベース流体などの腐食防止流体をガスタービンエンジンのために分散させる(disperse)ための方法およびシステムが開示される。ポリアミンベース流体は、蒸発冷却システムまたは入口霧化システムを使用することによってガスタービンエンジンに適用されうる。ポリアミンベース流体は、とりわけ、パワー増大、ＮＯｘ低減、またはグリッド周波数補助(grid frequency support)のために使用される可能性がある。ある実施形態では、ポリアミンベース流体が、とりわけ、パワー増大、ＮＯｘ低減、またはグリッド周波数補助を与えるために過剰に使用することができないことを保証するため、適切なロジックが使用可能にされうる。ポリアミンベース流体の適用は、とりわけ、環境条件、劣化レート、ガスタービンエンジンフレームサイズ、実施される流体分配のタイプ、流体分配の継続時間などの１つまたは複数の条件に基づきうる。
【００１０】
本明細書で使用されるとき、用語「ポリアミン(polyamine)」は、２つ以上の第１アミノ基−ＮＨ２を有する有機化合物を指すために使用される。ある実施形態では、腐食防止剤は、揮発性中和性アミンを含み、揮発性中和性アミンは、酸性汚染物質を中和し、ｐＨをアルカリ範囲に入るように上げ、揮発性中和性アミンによって、保護金属酸化物被膜が、特に安定性がありかつ付着力がある。腐食防止剤の非制限的な例は、シクロヘキシルアミン、モルホリン、モノエタノールアミン、Ｎ−９−オクタデセニル−１、３−プロパンジアミン、９−オクタデセン−１−アミン、（Ｚ）−１−５、ジメチルアミンプロピルアミン（ＤＭＰＡ）、ジエチルアミノエタノール（ＤＥＡＥ）、および同様なもの、ならびに、上記の少なくとも１つを含む組合せを含む。たとえば、腐食防止流体は、ポリアミン（多機能有機アミン腐食防止剤）および中和性アミン（揮発性有機アミン）の組合せを含みうる。腐食防止流体の異なる比のブレンドは、弁アライメントを変化させることによって導入されうる。
【００１１】
図１は、冷却用およびシール用の空気弁および管(pipe)コンポーネントを含むガスタービンエンジン１１の例示的な図である。圧縮機１５は、くつかのステージを含みうる。図１に示すように、圧縮機のＡ−ステージ５４、Ｂ−ステージ５５、またはＣ−ステージ５６が存在しうる。用語「Ａステージ(A-stage)」、「Ｘステージ(X-stage)」、および同様なものは、「第１ステージ(first stage)」、「第２ステージ(second stage)」、および同様なものに対向するものとして本明細書で使用されて、本明細書で述べるシステムおよび方法が、圧縮機またはタービンの実際の第１ステージまたは第２ステージとの一緒の使用にいずれにしても限定されるという推定を防止する。任意の数のステージが使用されうる。各ステージは、ブレード５９、ブレード６０、およびブレード６１などの、いくつかの円周方向に配列された回転ブレードを含む。任意の数のブレードが使用されうる。ブレードは、ロータホイール６５上に搭載されうる。ロータホイール６５は、ロータホイール６５と共に回転するためのパワー出力ドライブシャフトに取付けられうる。各ステージはまた、いくつかの円周方向に配列された固定ベーン６７を含みうる。任意の数のベーン６７が使用されうる。ベーン６７は、外側ケーシング７０内に搭載されうる。ケーシング７０は、ベルマウス７５からタービン１７に向かって延在しうる。空気の流れ２２は、ベルマウス７５の周りで圧縮機１５に入り、燃焼器まで流れる前に、ステージのブレード（たとえば、とりわけブレード５９、６０、および６１）およびベーン６７を通って圧縮される。
【００１２】
図２は、パワープラントシステム１０５の例示的な図である。通常運転時、入口空気は、入口フード１１４を介しまた複数のフィルタ要素を通って入口フィルタハウス１１０内に流れる。濾過された入口空気は、ダクト１１２（または同様の通路）を通過して、ガスタービンエンジン１１６に到る。ダクト１１２は、蒸発冷却システム１１１を含みうる。別の実施形態では、入口霧化器システムは、パワープラントシステム１０５内の蒸発冷却システム１１１にまたはその近くに同様に位置しうる。蒸発冷却システム１１１は、一般に、本明細書で論じるように、入口霧化器システムと同義的に使用される。蒸発冷却システム１１１の典型的な機能は、機械への入口空気を、水を気化させることにより冷却することによってエンジンからのパワー出力を増加させることである。ガスタービンエンジン１１６は、圧縮機セクション１１７、燃焼セクション１１８、およびタービンセクション１１９を含む。圧縮機セクション１１７からの高圧空気は、ガスタービンエンジン１１６の燃焼セクション１１８に入り、そこで、空気が燃料と混合され、燃焼させられる。
【００１３】
図２に示すように、蒸発冷却システム１１１は、腐食防止配管１２２に流体的に接続される。腐食防止配管１２２は、腐食防止流体供給源１２０に流体的に接続される。ある実施形態では、腐食防止流体は、ポリアミンベース流体および水の混合物を含みうる。水−ポリアミン混合物は、所定の比であり、腐食防止配管１２２を介して蒸発冷却システム１１１に挿入される。水−ポリアミン混合物は、蒸発冷却システム１１１によって蒸気（たとえば水蒸気）に変換されるかまたはエーロゾル化されうる。ポリアミンベース蒸気は、ダクト１１２を通って圧縮機ベルマウス内に移動しうる。本明細書で論じられ示唆されるように、弁、混合チャンバ、センサ、コントロール、または同様なものの組合せが存在する場合があり、ポリアミンベース流体を使用するかどうかを判定するのに役立ち、また、ポリアミンベース流体の適用を補助する。腐食防止流体を投与するのに役立つ蒸発冷却システム１１１の使用は、ガスタービンエンジンが、オンライン運転時にまたはオンライン流体分配（たとえば、洗浄剤を使用したオンライン洗浄または腐食防止流体の分配）中に行われうる。
【００１４】
別の実施形態では、腐食防止流体の供給源は、タンカートラックなどの独立しかつ外部の供給源から供給されうる。外部供給源は、蒸発冷却システム１１１に流体的に接続された腐食防止流体配管１２２に急速脱着設備(quick disconnect provisions)によって手作業で接続される可能性がある。本明細書で論じる蒸発冷却プロセスは、ポリアミンベース流体と水の混合物と共に空気から生成される飽和した水ストリームを圧縮機内に分散させるために使用されうる。低圧霧化器システムが腐食防止流体を送出するために使用されうることが企図される。
【００１５】
腐食防止流体は、ガスタービンエンジン１１６がオフラインまたはオンラインであるときに、蒸発冷却システム１１１を介して分散させられうる。ガスタービンエンジン１１６は、通常よりかなり低いパワー生成出力レベルで機械が運転しているとき、オフラインであると考えられうる。ガスタービンエンジン１１６がオンラインであるかどうかは、パワー出力レベルに基づいて判定されうるが、オンラインは、通常、ガスタービンエンジン１１６が高温で運転すること（たとえば、タービンが１４５°Ｆを超えて運転すること）を含む。オフライン分配中、ガスタービンエンジン１１６は、クールダウンされ、ついには、内部容積および表面が十分に（たとえば、約１４５°Ｆに）クールダウンされるため、ガスタービンエンジン内に導入される水または清浄用混合物は、内部金属に熱的に衝撃を与えず、クリープを誘起しない、または、材料の任意の機械的または構造的変形を誘起しないことになる。
【００１６】
ある実施形態では、水と１つまたは複数の腐食防止剤だけが、所定の比で混合されうる。水−腐食防止剤の混合物は、別個の貯蔵タンク内に保持されうる（たとえば、事前混合済み腐食防止流体）。結果として得られる腐食防止流体用の混合物は、ガスタービンエンジンのフレームサイズ、放出と組合せた分配の継続時間、または流量要件に基づきうる。比もまた、アミンのタイプに基づいて調整されうる。
【００１７】
混合されると、腐食防止流体は分散させられて、金属上にマイクロコーティングをコーティングする(molecular layer coating-a micro-coating)分子層を生成しうる。金属パッシベーションは、腐食種から金属または金属合金を保護するコーティング（たとえば、金属酸化物層）を形成することにより、ガスタービンエンジンにおいて示される環境因子（たとえば、高温、燃焼副産物、破片など）からの保護シールドを、金属または金属合金基材に与える。ある実施形態では、腐食防止流体の適用から生じるコーティングは、圧縮機１１７などの圧縮機の金属または金属合金基材における結合を強化するのに役立つ。腐食防止流体の混合物（たとえば、腐食防止剤のタイプ）に基づいて、腐食防止コーティングの有意の熱分解が、５００℃を超える温度に達するまで示されない場合がある。ある実施形態では、連続する腐食防止処理サイクルが、本明細書で述べるシステムを使用して圧縮機１１７に適用され、多層腐食防止コーティングをもたらしうる。
【００１８】
腐食防止流体は、本明細書で論じるように、圧縮機１１７の前の蒸発冷却システム１１１の入口ポイントを介して、腐食防止混合物がそれに接触するガスタービンエンジン内の金属および／または金属合金基材上に腐食防止コーティングを設ける金属パッシベーションを使用することによって、圧縮機１１７に腐食耐性および／または抑制を与えうる。その結果の腐食防止流体は、ガスタービンエンジンの圧縮機１１７のステージおよび圧縮機１１７内の種々の金属コンポーネント（たとえば、圧縮機ブレードおよびステータベーン）を（部分的にまたは完全に）コーティングする。
【００１９】
腐食防止流体は、特に選択された所定の比で水および腐食防止剤を含みうる。ガスタービンエンジンにおいて腐食防止コーティングを与えるのに適する任意の腐食防止剤が使用されうる。ある実施形態では、腐食防止剤は、有機アミンであり、有機アミンは、ガスタービンエンジン内のコンポーネントの金属／金属酸化物表面において吸収することによる腐食抑制剤として作用し、それにより、ガスタービンエンジンのコンポーネントの金属または金属合金基材表面に対するおそらくは腐食性の種（たとえば、溶存酸素、炭酸、塩素／硫酸アニオンなど）のアクセスを制限する。ある実施形態では、腐食防止剤は２つ以上の有機アミンである。ある実施形態では、腐食防止処理は、ポリアミンおよび中和性アミンの組合せを含みうる。
【００２０】
図２を参照すると、腐食防止流体配管１２２に接続される弁（図示せず）は、圧縮機１１７に対する流体の適用に基づいて腐食防止剤または流体の異なる供給源の間での選択を可能にしうる。腐食防止流体は水蒸気でありうる。腐食防止流体は、本明細書で開示されるように、外部供給源、たとえばトラックから供給され、急速脱着によって手作業で接続されうる。腐食防止流体は、所定の比（アミンのタイプに基づいて調整可能である）で自動的に混合され、その後、分散させられうる。入口弁およびドレン弁は、任意選択で、腐食防止流を導入する前に位置決めされ整列されうる。
【００２１】
パワープラントシステム１０５は、とりわけ、モータセンサ、流体レベルセンサ、流体圧センサ、混合物流出圧センサ、ガスタービンエンジン内の圧縮機セクション内の圧力を検知する圧縮機圧センサ、ガスタービンエンジン１１６内の圧力を検知するタービン圧センサ、または弁位置センサなどの複数のセンサ（図示せず）を組込みうる。パワープラントシステム１０５は、配管を通って流れる（または流れない）流体の流量を検知するように構成される流量センサをさらに含みうる。
【００２２】
図３は、ガスタービンエンジンに腐食防止流体を適用する非制限的で例示的な方法４００を示す。ある実施形態では、ステップ４０５にて、腐食防止流体が選択されうる。腐食防止流体は、金属用の知られている腐食防止流体から選択されうる。ステップ４１０にて、腐食防止流体は、蒸発冷却器によって気化されうる。代替の実施形態では、ステップ４１０にて、霧化器システムまたは同様なものが、腐食防止流体を霧化（エーロゾル化）しうる。ステップ４１５にて、腐食防止流体は、ガスタービンエンジンに分配されうる。蒸発冷却器および霧化器は、通常、ガスタービンエンジンの空気取込みフィルタと圧縮機との間のダクト内に配置(locate)される。ダクト内の空気の流れは、ガスタービンエンジンの圧縮機に対する腐食防止流体の分配を補助する。
【００２３】
図４は、ガスタービンエンジンに腐食防止流体を適用する非制限的で例示的な方法５００を示す。ある実施形態では、ステップ５０５にて、ガスタービンエンジン（たとえば、圧縮機またはタービン）の状態が判定されうる。状態は、センサ、ボアスコープ検査、または同様なものに基づいて判定されうる。状態は、とりわけ、圧縮機またはタービンが清浄であり、前処理されているかどうか（たとえば、破片または埃の量）、ガスタービンエンジンがどれだけの期間、運転中であったか、またはタービン出力を含みうる。ガスタービンエンジンが清浄であるかどうかについての状態は、とりわけ、汚れセンサからのデータ、清浄と清浄の間の経過時間、ガスタービンエンジンの運転中の大気条件によって判定されうる。
【００２４】
ステップ５１０にて、ガスタービンエンジンに適用される腐食防止流体のタイプが、ガスタービンエンジンの状態に基づいて決定されうる。ガスタービンエンジンの状態は、ガスタービンエンジンのタイプ、ガスタービンエンジンに対する損傷の量、ガスタービンエンジンの温度、運転環境、ガスタービンエンジンのパワー出力レベル、または同様なものを含みうる。ある実施形態では、ガスタービンエンジンに適用される腐食防止流体のタイプは、ガスタービンエンジンに対する分配ポイントに基づいて決定されうる。たとえば、腐食防止流体のタイプは、ベルマウスの近くのベルマウスノズルを介した分配が存在するか、後方のステージの近くの抽出ポート（または他のポート）を介した分配が存在するかに基づいて選択されうる。
【００２５】
ステップ５１５にて、腐食防止流体は、ガスタービンエンジンの状態に基づいてガスタービンエンジンに適用されうる。腐食防止流体が適用されるときに、圧縮機、タービン、または他のガスタービンエンジンコンポーネントが汚れている場合、腐食防止流体は、ガスタービンエンジンコンポーネントに適切に結合せず、それが、次に、適用される腐食防止流体の有効性を減少させうる。ある実施形態では、エーロゾル化した腐食防止流体が、ガスタービンエンジンの清浄後、適用されうる。清浄は、圧縮機洗浄のための洗浄剤よび純水の利用、「イントラリンス(intra Rinse)」溶液の利用、または中和性リンスに続くパッシベーション化処理のうちの１つまたは複数を含みうる。
【００２６】
ポリアミンベース流体などの腐食防止流体は、実質的に耐熱性がありうるが、ある温度では効果がなくなりうる。したがって、ガスタービンエンジンコンポーネント（たとえば、圧縮機またはタービン）の特定のステージにおいて、または、特定のステージの温度に完全に基づかずに腐食防止流体を適用することが適切でありうる。腐食防止流体の適用の場所は、本明細書で論じるように、制御システム（たとえば、制御システム１９０）に連通する弁（図示せず）によって制御され得る。弁は、閾値条件（たとえば、閾値温度を満たすこと）に基づいて自動でまたは手動で制御されうる。
【００２７】
例示的な実施形態では、制御システム１９０は、無線または実配線によって、本明細書で述べるセンサと通信し、モータを始動するか、停止するか、またはモータの速度を制御するために設けられる作動機構（図示せず）とさらに通信する。制御システムは、本明細書で述べるように、パワープラントシステム１０５の運転を遂行するために使用される弁を開口するか、閉鎖するか、または弁の位置を調節しうる。
【００２８】
図２に示す制御システム１９０は、パネル／ディスプレイに通信可能に接続されるコンピュータシステムでありうる。制御システム１９０は、センサ入力、および、人間機械インタフェース（ＨＭＩ）端末を介した人間オペレータからの命令を使用して、パワープラントシステム１０５の運転を制御するプログラムを実行しうる。さらに、例示的な実施形態では、制御システム１９０は、水とポリアミンまたは他の薬剤との比を変更（または制限）するか、分配シーケンスについてのサイクル時間を変更（または制限）するか、分配またはリンスサイクルにおけるステップの順序を変更（または制限）するか、腐食防止流体分配の順序を変更するか、または腐食防止流体分配の継続時間を制限するようにプログラムされうる。
【００２９】
制御システム１９０は、パワープラントシステムおよびデバイスに通信可能に接続される。腐食防止流体の適用について許容的な全ての所定のロジックが満たされると、腐食防止流体を使用したオンライン分配がアクティブになり、腐食防止流体が適切に適用されうる。制御システム１９０は、腐食防止流体運転モードのために特に設計された所定の／予め設計されたシーケンスに基づいてガスタービンエンジンを自動的に動作させうる。オンライン分配システムの起動および運転のための方法は、パワー出力および他のタービン制御パラメータがオンライン分配について満たされたと判定することを含む。制御システム１９０は、圧縮機から実質的に一定の空気流を維持しようと試みて、分配シーケンス中に燃焼器状態が空気流の変化を遅延させないように燃料と圧縮機放出圧との比を制御することを促進しうる。運転中、このシステムは、タービンを通る「質量流量(mass flow)」を増加させる効果を有し、それにより、グリッドに送出されるパワーの増加を可能にすることになる。上記を考慮すると、制御システム１９０は、パワー増大、ＮＯｘ低減、またはグリッド周波数補助のために制御システム１９０を過剰に使用（または、乱用）できないことを保証するために適切なチェックおよび制限を持つように構成されうる。
【００３０】
ある実施形態では、（たとえば、ベルマウスノズル、入口霧化システム、蒸発冷却システムなどを介した）腐食防止流体の適用中、制御システム１９０は、適切なパワー出力レベルを維持するようガスタービンエンジン１１６を制御するのに役立つシステムに命令を提供するように構成されうる。目下のまたは同様のガスタービンエンジンの解析または同様なものによって決定される適切なパワーレベルは、手動で設定されうる。ある実施形態では、過剰な使用は、オンライン腐食防止流体分散制御ロジックを変更することに対する制限的なアクセス、たとえば、オンライン腐食防止流体分散のためのポリアミン水比を変更することに対する最小のアクセス、（たとえば、分散(dispersal)と分散との間の）腐食防止流体分散シーケンスについてのサイクル時間を変更することに対する最小のアクセス、（たとえば、分散中の）オンライン腐食防止流体分散のためのサイクル時間を変更することに対する最小のアクセス、または同様なものによって最小にされうる。オンライン腐食防止流体分散の乱用または腐食防止流体の他の適用は、腐食防止流体の適用に関して、本明細書で提案される周波数のパターンおよび他のデータによって示されうる。
【００３１】
本明細書に現れる特許請求の範囲の範囲、解釈、または適用をいずれの点でも制限することなく、本明細書で開示される技術的効果は、ガスタービンエンジン圧縮機ブレードおよびステータベーンの表面上にパッシベーション層を形成するのに役立つため、温度支持的環境条件において、酸性化学物質とアルカリ性化学物質とのある比で化学物質の組合せ（たとえば、腐食抑制剤）を利用することである。比は予め決定されうる。腐食軽減は、長い継続時間にわたって回復された性能を維持するのに役立ちうる。腐食抑制剤の適用は、多数回の水洗浄による圧縮機ブレードまたはタービンブレードエロージョンについての傾向を低減しうる。本明細書で論じるように、腐食防止分配システムを、入口霧化システム、蒸発冷却器、および他の既存のシステムに統合することは、新しく広範な配管走行およびケーシング貫入についての必要性を最小にしうる。
【００３２】
図５および以下の議論は、本明細書で開示される方法およびシステムならびに／またはそれらの所定の部分が実装されうる、適したコンピューティング環境の簡潔で一般的な説明を提供することを意図される。必要とされないが、本明細書で開示される方法およびシステムの所定の部分は、クライアントワークステーション、サーバ、パーソナルコンピュータなどのコンピュータ、または、スマートフォンなどのモバイルコンピューティングデバイスによって実行されるプログラムモジュールなどの、コンピュータ実行可能命令の一般的な文脈で述べられる。一般に、プログラムモジュールは、特定のタスクを実施するかまたは特定のアブストラクトデータタイプを実装する、ルーチン、プログラム、オブジェクト、コンポーネント、データ構造、および同様なものを含む。さらに、本明細書で開示される方法およびシステムならびに／またはそれらの所定の部分が、手持ち式デバイス、複数プロセッサのシステム、マイクロプロセッサベースまたはプログラマブルコンシューマエレクトロニクス、ネットワークＰＣ、ミニコンピュータ、メインフレームコンピュータ、および同様なものを含む他のコンピュータシステムによって実施されうることが認識されるべきである。プロセッサは、単一チップ、複数チップ、または異なるアーキテクチャを有する複数の電気コンポーネント上で実装されうる。本明細書で開示される方法およびシステムはまた、通信ネットワークを通してリンクされる複数のリモート処理デバイスによってタスクが実施される分散コンピューティング環境で実施されうる。分散コンピューティング環境では、プログラムモジュールは、ローカルとリモートの両方のメモリ記憶デバイス内に配置されうる。
【００３３】
図５は、本明細書で開示される方法およびシステムならびに／またはそれらの所定の部分の態様が組込まれうる汎用コンピュータシステムを示すブロック図である。図示するように、例示的な汎用コンピューティングシステムは、処理ユニット６２１を含むコンピュータ６２０または同様なもの、システムメモリ６２２、および、システムメモリから処理ユニット６２１を含む種々のシステムコンポーネントを結合するシステムバス６２３を含む。システムバス６２３は、メモリバスまたはメモリコントローラ、周辺バス、および種々のバスアーキテクチャの任意のバスアーキテクチャを使用するローカルバスを含むいくつかのタイプのバス構造の任意のバス構造でありうる。システムメモリは、読出し専用メモリ（ＲＯＭ）６２４およびランダムアクセスメモリ（ＲＡＭ）６２５を含む。始動中などにコンピュータ６２０内の要素間で情報を転送するのに役立つ基本ルーチンを含む基本入力／出力システム（ＢＩＯＳ）６２６は、ＲＯＭ６２４に記憶される。
【００３４】
コンピュータ６２０は、ハードディスク（図示せず）から読出すかまたはハードディスク（図示せず）に書込むためのハードディスクドライブ６２７、取外し可能な磁気ディスク６２９から読出すかまたは磁気ディスク６２９に書込むための磁気ディスクドライブ６２８、および、ＣＤ−ＲＯＭまたは他の光学媒体などの取外し可能な光ディスク６３１から読出すかまたは光ディスク６３１に書込むための光ディスクドライブ６３０をさらに含みうる。ハードディスクドライブ６２７、磁気ディスクドライブ６２８、および、光ディスクドライブ６３０は、ハードディスクドライブインタフェース６３２、磁気ディスクドライブインタフェース６３３、および、光ディスクドライブインタフェース６３４によってそれぞれシステムバス６２３に接続される。ドライブおよびそれらの関連するコンピュータ可読媒体は、コンピュータ６２０用の、コンピュータ可読命令、データ構造、プログラムモジュール、および他のデータの不揮発性ストレージを提供する。本明細書で述べるように、コンピュータ可読媒体は、有形で、物理的で、具体的な製造品であり、したがって、それ自体信号ではない。
【００３５】
本明細書で述べる例示的な環境は、ハードディスク、取外し可能な磁気ディスク６２９、および取外し可能な光ディスク６３１を使用するが、コンピュータによってアクセス可能であるデータを記憶できる多のタイプのコンピュータ可読媒体もまた、例示的な運転環境内で使用されうることが認識されるべきである。こうした他のタイプの媒体は、磁気カセット、フラッシュメモリカード、デジタルビデオまたは多用途ディスク、ベルヌーイカートリッジ(Bernoulli cartridge)、ランダムアクセスメモリ（ＲＡＭ）、読出し専用メモリ（ＲＯＭ）、および同様なものを含むが、それに限定されない。
【００３６】
オペレーティングシステム６３５、１つまたは複数のアプリケーションプログラム６３６、他のプログラムモジュール６３７、およびプログラムデータ６３８を含むいくつかのプログラムモジュールは、ハードディスク、磁気ディスク６２９、光ディスク６３１、ＲＯＭ６２４、またはＲＡＭ６２５上に記憶されうる。ユーザは、キーボード６４０および指示デバイス６４２などの入力デバイスを通してコンピュータ６２０にコマンドおよび情報を入力しうる。他の入力デバイス（図示せず）は、マイクロフォン、ジョイスティック、ゲームパッド、衛星放送受信アンテナ、スキャナ、または同様なものを含みうる。これらのまた他の入力デバイスは、しばしば、システムバスに結合されるシリアルポートインタフェース６４６を通して処理ユニット６２１に接続されるが、パラレルポート、ゲームポート、またはユニバーサルシリアルバス（ＵＳＢ）などの他のインタフェースによって接続されうる。モニタ６４７または他のタイプのディスプレイデバイスもまた、ビデオアダプタ６４８などのインタフェースを介してシステムバス６２３に接続される。モニタ６４７に加えて、コンピュータは、スピーカおよびプリンタなどの他の周辺出力デバイス（図示せず）を含みうる。図５の例示的なシステムはまた、ホストアダプタ６５５、スモールコンピュータシステムインタフェース（ＳＣＳＩ）バス６５６、およびＳＣＳＩバス６５６に接続された外部記憶デバイス６６２を含む。
【００３７】
コンピュータ６２０は、リモートコンピュータ６４９などの１つまたは複数のリモートコンピュータに対する論理接続を使用して、ネットワーク化環境内で運転しうる。リモートコンピュータ６４９は、パーソナルコンピュータ、サーバ、ルータ、ネットワークＰＣ、ピアデバイス、または他の一般的なネットワークノードであるとすることができ、コンピュータ６２０に関して上述した要素の多くまたは全てを含みうるが、メモリ記憶デバイス６５０だけが図５に示された。図５に示す論理接続は、ローカルエリアネットワーク（ＬＡＮ）６５１およびワイドエリアネットワーク（ＷＡＮ）６５２を含む。こうしたネットワーク化環境は、オフィス、企業規模のコンピュータネットワーク、イントラネット、およびインターネットにおいて常識的である。
【００３８】
ＬＡＮネットワーク化環境で使用されるとき、コンピュータ６２０は、ネットワークインタフェースまたはアダプタ６５３を通してＬＡＮ６５１に接続される。ＷＡＮネットワーク化環境で使用されるとき、コンピュータ６２０は、モデム６５４、および、インターネットなどのワイドエリアネットワーク６５２を通じて通信を確立するための他の手段を含み得る。内部または外部でありうるモデム６５４は、シリアルポートインタフェース６４６を介してシステムバス６２３に接続される。ネットワーク化環境では、コンピュータ６２０またはその所定の部分に関して述べたプログラムモジュールは、リモートメモリ記憶デバイスに記憶されうる。図示するネットワーク接続が、例示的であり、コンピュータ間で通信リンクを確立する他の手段が使用されうることが認識されるであろう。
【００３９】
コンピュータ６２０は、種々のコンピュータ可読記憶媒体を含み得る。コンピュータ可読記憶媒体は、コンピュータ６２０がアクセスでき、揮発性と不揮発性の両方の媒体および取外し可能と取外し不能の両方の媒体を含む任意の入手可能な媒体でありうる。制限としてではなく例として、コンピュータ可読記憶媒体は、コンピュータ記憶媒体および通信媒体を備えうる。コンピュータ記憶媒体は、コンピュータ可読命令、データ構造、プログラムモジュール、または他のデータなどの情報を記憶するための任意の方法または技術において実装される揮発性と不揮発性の両方の媒体、取外し可能と取外し不能の両方の媒体を含む。コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスクストレージ、磁気カセット、磁気テープ、磁気ディスクストレージまたは他の磁気記憶デバイス、または、所望の情報を記憶するために使用され、コンピュータ６２０によってアクセスされる可能性がある任意の他の媒体を含むが、それに限定されない。上記のうちの任意のものの組合せは、本明細書で述べる方法およびシステムを実装するためのソースコードを記憶するために使用されうるコンピュータ可読媒体の範囲内に含まれるべきである。本明細書で開示される特徴または要素の任意の組合せは、１つまたは複数の実施形態において使用されうる。
【００４０】
図に示す本開示の主題の実施形態を述べるときに、特定の用語が、明確にするために使用される。しかし、特許請求される主題は、そのように選択される特定の用語に限定されることを意図されず、それぞれの特定の要素が、同様の目的を達成するため同様の方法で働く全ての技術的等価物を組含むことが理解される。エーロゾル化ポリアミンベース流体、蒸気ポリアミンベース流体、または非エーロゾル化ポリアミンベース流体が実装されうる。パワープラントシステム用のガスタービンが論じられるが、他の同様のタービンエンジン構成が本明細書で企図される。本明細書で述べる腐食防止処理は、入口ブリードヒートシステム、蒸発冷却システム、霧化器、ベルマウスノズル、抽出配管、または他のデバイスなどの異なるシステムによって同時に適用されうる。ポリアミンベース流体に関して本明細書で開示される特徴または要素の任意の組合せは、１つまたは複数の実施形態において使用されうる。
【００４１】
この書面による説明は、最良モードを含む本発明を開示するために、また同様に、任意のデバイスまたはシステムを作り使用すること、および、組込まれる任意の方法を実施することを含む、本発明を当業者が実施することを可能にするために例を使用する。本発明の特許可能な範囲は、特許請求の範囲によって規定され、当業者が思い付く他の例を含みうる。こうした他の例は、特許請求の範囲の逐語的言語と異ならない構造的要素を有する場合、または、特許請求の範囲の逐語的言語と非実質的相違を有する等価な構造的要素を含む場合、特許請求の範囲内にあることを意図される。
【符号の説明】
【００４２】
１１  ガスタービンエンジン
１５  圧縮機
１７  タービン
２２  空気流
５４  Ａステージ
５５  Ｂステージ
５６  Ｃステージ
５９  ブレード
６０  ブレード
６１  ブレード
６５  ロータホイール
６７  ベーン
７５  ベルマウス
１０５  パワープラントシステム
１１４  入口フード
１１０  入口フィルタハウス
１１１  蒸発冷却システム／霧化器
１１２  空気ダクト
１１７  圧縮機
１１８  燃焼セクション
１１９  タービン
１１６  ガスタービンエンジン
１２０  腐食防止流体供給源
１２２  腐食防止流体配管
１９０  制御システム
４００  方法
４０５  方法４００のブロック
４１０  方法４００のブロック
４１５  方法４００のブロック
５００  方法
５０５  方法５００のブロック
５１０  方法５００のブロック
５１５  方法５００のブロック
６２０  コンピュータ
６２１  処理ユニット
６２２  システムメモリ
６２３  システムバス
６２４  ＲＯＭ
６２５  ＲＡＭ
６２６  ＢＩＯＳ
６２８  フロッピーディスク
６２９  ストレージ
６３０  光ディスクドライブ
６３１  ストレージ
６３２  ハードディスクドライブインタフェース
６３３  磁気ディスクドライブインタフェース
６３４  光ディスクドライブインタフェース
６３５  オペレーティングシステム
６３６  アプリケーションプログラム
６３７  他のプログラム
６３８  プログラムデータ
６４０  キーボード
６４２  マウス
６４６  シリアルポートインタフェース
６４７  モニタ
６４８  ビデオアダプタ
６４９  リモートコンピュータ
６５０  メモリ
６５１  ローカルエリアネットワーク
６５２  ワイドエリアネットワーク
６５３  ネットワークインタフェース
６５４  モデム
６５５  ホストアダプタ
６５６  ＳＣＳＩバス
６６２  記憶デバス
【図１】
2015113837.tif 000003
【図２】
2015113837.tif 000004
【図３】
2015113837.tif 000005
【図４】
2015113837.tif 000006
【図５】
2015113837.tif 000007